(57)【要約】【課題】  装置高さも低く、簡単な構成で、積層されているシート状部材を１枚ずつ分離して給送することができる給紙装置を提供することを課題とする。【解決手段】  用紙その他のシート状部材８の反給紙方向側の両隅部位置に配置され、底面側に長手方向の両端が開放された溝部２ａを有する、一対の吸着部材２・２と、該一対の吸着部材２・２を支持する、内部に空洞を有する支持部材３と、該支持部材３の空洞と該吸着部材２の溝部２ａ・とを連通する吸気孔２ｄ・２ｄ・・・と、該支持部材３の空洞内に負圧を発生させる負圧発生手段と、を備えた構成とする。【選択図】  図３
2005330045.tif 000002
【特許請求の範囲】
【請求項１】
用紙その他のシート状部材の反給紙方向側の両隅部位置に配置され、底面側に長手方向の両端が開放された溝部を有する、一対の吸着部材と、
該一対の吸着部材を支持する、内部に空洞を有する支持部材と、
該支持部材の空洞と該吸着部材の溝部とを連通する吸気孔と、
該支持部材の空洞内に負圧を発生させる負圧発生手段と、
を備えたことを特徴とする給紙装置。
【請求項２】
前記吸着部材の溝部を、シート状部材の縦横両辺に対して４５度の角度で配置したことを特徴とする請求項１に記載の給紙装置。
【請求項３】
前記支持部材を、給紙口側へ移動させるアクチュエータを備えたことを特徴とする請求項１又は請求項２に記載の給紙装置。
【請求項４】
前記給紙装置は、シート状部材の反給送方向側の縁部を係止する係止爪を備えたことを特徴とする請求項１から請求項３のうち何れか一項に記載の給紙装置。
【請求項５】
前記支持部材を、第１支持部材と、前記吸着部材を支持し、該第１支持部材に対してシート状部材の幅方向に伸縮可能な第２支持部材と、で構成したことを特徴とする請求項１から請求項４のうち何れか一項に記載の給紙装置。
【発明の詳細な説明】
【技術分野】
【０００１】
本発明は、積層されているシート状部材を１枚ずつ分離して給送する給紙装置の構成に関する。
【背景技術】
【０００２】
カレンダーなどを丁合する丁合機は上下に多段に給紙棚を備えており、各給紙棚には給紙装置が設けられている（例えば、特許文献１参照）。
従来の給紙装置では、吸着パッドをカレンダー等のシート状部材の表面に押し付けて密着させた後、真空ポンプで吸引して、該吸着パッドと該シート状部材との間の空間の真空度を高めてシート状部材を吸着する方法が取られている。
【０００３】
【特許文献１】特開２００１−８９０１５号公報
【発明の開示】
【発明が解決しようとする課題】
【０００４】
この従来の給紙装置は構成が複雑で製造コストも高く、１台数十万円の価格となることから、これを各給紙棚に設けるとなると、コスト的な負担も大きい。
また、この従来の給紙装置は装置高さも比較的あり、各給紙棚の上方には給紙装置を設置するためのスペースが必要となって、丁合機全体の高さも必然的に高くなってしまう。
【０００５】
さらに、この従来の給紙装置では、吸着パッドでシート状部材を吸着する場合、空気の透過抵抗の低い紙質のシート状部材にあっては、最上層のシート状部材のみならず、上から２枚目のシート状部材までも吸着されることがある。最上層のシート状部材と吸着パッドとの間の空間は閉じた空間になっており、該空間の真空度を高めたときに、最上層のシート状部材と上から２枚目のシート状部材との間の隙間の空気が容易に最上層のシート状部材を透過して、該最上層のシート状部材と該上から２枚目のシート状部材との間の隙間も負圧となり、吸着パッドを持ち上げるときに、最上層のシート状部材とともに、上から２枚目のシート状部材までもが持ち上げられてしまい、そのまま２枚のシート状部材が給紙口へ受け渡されてしまうことがある。
【０００６】
この問題を解決するために、シート状部材を上方へ引き上げる第１の吸着パッドと、シート状部材を給紙口側へ送り出す第２の吸着パッドとを、備え、この２種類の吸着パッドの動きを制御する給紙装置も開発されてはいるが、その構造はさらに複雑になり、部品点数も増えて、製造コストも高くなる。
【０００７】
そこで、本発明では、これらの問題点を鑑み、装置高さが低く、簡単な構成で、積層されているシート状部材を１枚ずつ分離して給送することができる給紙装置を提供することを課題とする。
【課題を解決するための手段】
【０００８】
本発明の解決しようとする課題は以上のとおりであり、次にこの課題を解決するための手段を説明する。
まず、請求項１に記載のように、用紙その他のシート状部材の反給紙方向側の両隅部位置に配置され、底面側に長手方向の両端が開放された溝部を有する、一対の吸着部材と、該一対の吸着部材を支持する、内部に空洞を有する支持部材と、該支持部材の空洞と該吸着部材の溝部とを連通する吸気孔と、該支持部材の空洞内に負圧を発生させる負圧発生手段と、を備えた構成とする。
【０００９】
また、請求項２に記載のように、前記吸着部材の溝部を、シート状部材の縦横両辺に対して４５度の角度で配置する。
【００１０】
そして、請求項３に記載のように、前記支持部材を、給紙口側へ移動させるアクチュエータを備えた構成とする。
【００１１】
さらに、請求項４に記載のように、前記給紙装置は、シート状部材の反給送方向側の縁部を係止する係止爪を備えた構成とする。
【００１２】
そうして、請求項５に記載のように、前記支持部材を、第１支持部材と、前記吸着部材を支持し、該第１支持部材に対してシート状部材の幅方向に伸縮可能な第２支持部材と、で構成する。
【発明の効果】
【００１３】
本発明は、以上のように構成したことにより、次のような効果を奏する。
まず、請求項１に記載の発明では、負圧発生手段によって支持部材の空洞内に負圧を発生させることで、各吸着部材で溝部の両端から吸気孔へ向けてエアの流れができ、該溝部と最上層のシート状部材との間の空隙が負圧となって、該最上層のシート状部材の反給紙方向側の両隅部が上から２枚目のシート状部材に対して滑りながら浮き上がり、吸着部材の溝部に吸い付けられるようになっている。溝部に吸着した最上層のシート状部材と上から２枚目のシート状部材との間には該溝部に沿った形状の空隙が生じるが、該空隙の長手方向両端からは該空隙内の負圧を打ち消す空気が入り込んで、上から２枚目のシート状部材は吸い上げられることなく、吸着部材によって最上層のシート状部材のみが吸着保持され、シート状部材が１枚ずつ分離されるようになっている。
そして、支持部材の空洞内の負圧をリリースすることにより、該一対の吸着部材によるシート状部材の吸着保持が解除されるように構成されている。
このように本発明の給紙装置は、従来の給紙装置に比べて、構成が簡素化されて、部品点数も少なく、製造コストの削減が図られている。
また、本発明の給紙装置は装置高さも低く、上下に多段に給紙棚を有する丁合機などに用いる場合、各給紙棚の上方の給紙装置を設置するためのスペースを低く抑えることができ、丁合機全体の高さを低くすることができて、作業者が作業し易くなる。
【００１４】
また、請求項２に記載の発明では、紙などのシート状部材は縦方向又は横方向に漉目がはいっていて縦方向と横方向とで撓み易さが異なるが、吸着部材の溝部を、シート状部材の縦横両辺に対して４５度の角度で配置することで、縦横どちらの方向に漉目がはいっているシート状部材に対しても、漉目に影響されずに、スムーズにシート状部材を給送することができる。
【００１５】
そして、請求項３に記載の発明では、支持部材を、給紙口側へ移動させるアクチュエータを備えたことで、自動でシート状部材を給送することができ、作業性が向上する。
【００１６】
また、請求項４に記載の発明では、係止爪で上から２枚目のシート状部材を押さえることで、確実にシート状部材を１枚ずつ分離することができ、信頼性が向上する。
【００１７】
そして、請求項５に記載の発明では、第１支持部材に対して第２支持部材を伸縮させることで、幅方向の長さが異なるシート状部材に対しても容易に対応することができ、吸引部材を適正な位置に配置することができて、汎用性が向上する。
【発明を実施するための最良の形態】
【００１８】
次に、本発明の実施の一形態を、図面を参照しながら説明する。
図１、図２に示すように、本発明に係る給紙装置１は、一対の吸着部材２・２と、該一対の吸着部材２・２を支持する支持部材３と、該支持部材３にエアホース４を介して接続される真空ポンプ（図示略）とを備え、負圧発生手段である真空ポンプには負圧解除手段としてリリースバルブ（図示略）が設けられている。
【００１９】
給紙トレイ（図示略）上には多数のシート状部材（例えば、用紙）８・８・・・が積層されており、前記一対の吸着部材２・２はシート状部材８の反給紙方向側（後端側）の両隅部位置に配置されている。
図１、図３に示すように、吸着部材２は、シート状部材８と対向する側（底面側）に、長手方向の両端が開放された溝部２ａを有し、該溝部２ａは断面「Ｕ」字の形状で、該溝部２ａの長手方向中途部には複数の吸気孔２ｄ・２ｄ・・・が設けられている。この溝部２ａはシート状部材８の縦横両辺に対して４５度の角度で斜めに配置されており、縦横どちらの方向に漉目がはいっているシート状部材８・８・・・に対しても、漉目に影響されずに、スムーズにシート状部材８・８・・・を給送することができるように構成されている。また、吸着部材２は、底面側に、溝部２ａを挟んでシート状部材８との接触部２ｂ・２ｃを有し、内側の接触部２ｂは最上層のシート状部材８と接触するように配置され、外側の接触部２ｃは最上層のシート状部材８から少し浮いた状態で配置されている。
【００２０】
図２に示すように、支持部材３は第１支持部材３１と第２支持部材３２・３２とから成り、該第１支持部材３１は、平面視「Ｔ」字型に構成されており、本体部からシート状部材８の幅方向両側方（左右両側方）に向けて一対の腕部が突設されている。この第１支持部材３１と第２支持部材３２・３２とはその内部に空洞を有し、該第１支持部材３１は両腕端部が開口されており、該第２支持部材３２は一端が開口されて、該第１支持部材３１の両腕部に該第２支持部材３２・３２の一端部が摺動自在に嵌挿されている。このような構成で第１支持部材３１の空洞と第２支持部材３２の空洞とが連通されており、該第２支持部材３２の空洞と前記吸着部材２の溝部２ａとは前記吸気孔２ｄ・２ｄ・・・を介して連通されている。
【００２１】
こうして第２支持部材３２・３２が第１支持部材３１に対して伸縮可能に構成されており、幅方向の長さが異なるシート状部材に対しても容易に対応することができて、吸引部材２・２を適正な位置に配置することができるようになっている。
【００２２】
また、前記エアホース４は、第１支持部材３１の本体部の反給紙方向側端部（後端部）に取り付けられており、該エアホース４を介して該第１支持部材３１の空洞と真空ポンプ（図示略）とが連通されている。なお、エアホース４には、ファンの吸引側を接続して用いることも可能である。上記吸着部材２においては、高い真空度もしくは大きな吸引力を必要としないものであり、吸着部材２において一定量の空気の流れを発生させるものを用いることができる。
【００２３】
前記給紙トレイの前方にはシート状部材８・８・・・の前端にあてがわれる板部材が設けられており、該板部材の前方には給紙口が設けられて、該給紙口にはローラ等の搬送手段が設けられている。板部材は給紙トレイ上に積層されるシート状部材の上面よりも上方へ突き出た状態で配置されて、上下に移動可能に構成されている。
【００２４】
また、給紙装置１は支持部材３を上下方向及び前後方向へ移動させるアクチュエータ（図示略）を備えており、該アクチュエータにより吸着部材２・２を支持する支持部材３を前記給紙口側へ移動させて自動でシート状部材８・８・・・を給送するように構成されている。
【００２５】
こうして前記板部材は吸着部材２・２で吸着されたシート状部材８が前記アクチュエータによって前方へ送り出されるときに、下降して給紙口への搬送経路を開き、該シート状部材８が給紙口内へ繰り込まれてその後端が通過し終えると、再び元位置へ上昇して搬送経路を閉じるように構成されている。
【００２６】
さらに、図１に示すように、給紙装置１は、シート状部材８の後側反給送方向側の縁部を係止する係止爪７・７を備え、該係止爪７・７は吸着部材２・２の溝部２ａ・２ａと対向するように配置されて、該係止爪７・７によって確実にシート状部材８が１枚ずつ分離されるように構成されている。
【００２７】
以上のような構成で、前記真空ポンプによって低真空圧力且つ多流量で吸引が始まると、支持部材３の空洞内に負圧が発生して、各吸着部材２では溝部２ａの両端から吸気孔２ｄ・２ｄ・・・へ向けてエアの流れができ、該溝部２ａと最上層のシート状部材８との間の空隙が負圧となって、該最上層のシート状部材８の後端両隅部が上から２枚目のシート状部材８に対して滑りながら浮き上がり、吸着部材２・２の溝部２ａ・２ａに吸い付けられるように構成されている。
【００２８】
詳述すると、このとき最上層のシート状部材８の後端両隅部は吸着部材２・２の内側の接触部２ｂ・２ｂで押さえられてシート状部材８を給送する際に斜行しないようにその位置が固定されており、その外側の部分が浮き上がって、外側の接触部２ｃ・２ｃと接触し、溝部２ａに吸着する。溝部２ａに吸着した最上層のシート状部材８と上から２枚目のシート状部材８との間には該溝部２ａに沿った形状の空隙が生じるが、該空隙の長手方向両端からは該空隙内に生じる負圧を打ち消す空気が入り込んで、上から２枚目のシート状部材８は吸い上げられることなく、吸着部材２・２によって最上層のシート状部材８のみが吸着保持されるように構成されている。
【００２９】
さらに、シート状部材８の縦横両辺に対して４５度の角度で斜めに配置されている吸着部材２・２の溝部２ａ・２ａに吸い寄せられた最上層のシート状部材８の後端両隅部は斜めに移動し、これにより係止爪７・７による係止から外れて、２枚目以下のシート部材８・８・・・が係止爪７・７で係止されるようになり、確実にシート状部材８・８・・・が１枚ずつ分離されるように構成されている。
なお、この係止爪７・７は負圧発生手段である真空ポンプによる吸引に連動して前後に回動するように構成してもよい。
【００３０】
そして、前記アクチュエータにより支持部材３を上方へ移動させた後、前方へ移動させて、シート状部材８を給紙口へ運び、前記リリースバルブを開いて支持部材３の空洞内の負圧をリリースする。これにより吸着部材２・２によるシート状部材８の吸着保持が解除され、該シート状部材８は給紙口に設けられたローラによって繰り込まれていく。
【００３１】
以上のように本発明の給紙装置１は、従来の給紙装置に比べて、装置高さも低く、構成が簡素化されており、部品点数も少なくなって、製造コストの削減が図られている。
【産業上の利用可能性】
【００３２】
本発明の給紙装置１は、例えば、上下に多段に給紙棚を備えた丁合機に用いられる。この給紙装置１・１・・・は丁合機の各給紙棚に設けられ、該給紙装置１は装置高さが低いことから、各給紙棚の上方の給紙装置１を設置するためのスペースを低く抑えることができ、丁合機全体の高さを低くすることができる。また、この給紙装置１を丁合機に用いた場合、シート状部材８・８・・・を反給紙方向側の後端側で分離する後ろ取りの丁合機を構成することができ、該給紙装置１は丁合機の外部に配置されて、メンテナンスがし易くなる。
【図面の簡単な説明】
【００３３】
【図１】給紙装置１の斜視図。
【図２】給紙装置１の平面図。
【図３】給紙装置１の底面図。
【符号の説明】
【００３４】
１    給紙装置
２    吸着部材
２ａ  溝部
２ｄ  吸気孔
３    支持部材
７    係止爪
８    シート状部材
３１    第１支持部材
３２    第２支持部材
【図１】
2005330045.tif 000003
【図２】
2005330045.tif 000004
【図３】
2005330045.tif 000005